(57)【要約】      （修正有）【課題】組み立てやすく、テーブルの角度を調整可能な昇降構造を提供する。【解決手段】昇降構造は、脚部１０、連接ベース２０、調整ベース３０と天板４０とを含む。制御棒２８が円孔２５２端を支点としてリブ状孔２５３の上端位置に揺動される時、該制御棒は位置限定凹み部３３３より離れると、天板は適切な位置に調整できる。さらに該制御棒を緩めた時は拡張バネ２９によって該位置と対応する位置限定凹み部内に入れることによって、テーブル面の角度が速やかに調節できる機能を果たす。押さえレバー２７を操作して伸縮棒１２の制御部１２２が下へと押えられることで、該伸縮棒は垂直棒１１を連動して連接ベースと同時に上昇でき、或いは押されて高さが下げられることで、テーブル面の高さを調節する目的が達成される。該連接ベースによって該伸縮棒と、押さえレバーと、制御棒と、拡張バネと、調整ベースとが直接組み立てられる。【選択図】図２
0003218107.tif 000002
【実用新案登録請求の範囲】
【請求項１】
脚部と、連接ベースと、調整ベースと、天板とを含むテーブルの角度を調整可能な昇降構造であって、
上記脚部には垂直棒が立てられ、上記垂直棒内に伸縮棒が設けられ、さらに上記伸縮棒によって上記垂直棒が連動され長さの調整が行われ、また上記伸縮棒の頂部には固定部分と制御部とが形成され、
上記連接ベースにおいて、第一底板と第二底板とが平行的に区切られ、上記第一底板と上記第二底板との間には二枚の側板が連結されることによって第一空間が形成され、両上記側板には対称的に穿孔とフック孔とが設けられ、また上記連接ベースは上記第二底板の上記第一底板より離れた一面に二枚の垂直板が伸び、さらに両上記垂直板の間には第二空間が形成され、両上記垂直板の間に対称的に軸孔が設けられ、上記垂直板の一つは上記軸孔と上記第二底板との間に円孔が設けられ、さらにもう一つの垂直板は上記円孔と相対する所にリブ状孔が設けられ、上記第一底板に組接孔が設けられ、また上記伸縮棒の固定部分が上記連接ベースの組接孔を突き抜き、そして上記固定部分に固定部材を締めつけることにより、上記連接ベースを固定し、また上記連接ベースの第一空間部分に押さえレバーが設けられ、また上記押さえレバーは楔によって上記穿孔に穿設されて枢接状になることによって、上記押さえレバーの一端が上記伸縮棒の制御部を押さえることになり、また上記円孔と上記リブ状孔に制御棒が突き抜かれ、また上記制御棒が上記円孔より突き出る部分にＣ型ロック部材が固定され、上記制御棒は上記第二空間の位置に拡張バネが螺旋状に設置され、また上記拡張バネの両端はそれぞれ上記側板のフック孔に引っ掛けられることで、上記制御棒が上記リブ孔に沿って常態的に第二底板の方向に向かって揺動し、
上記調整ベースにはパネルが形成され、また上記パネルの両側は方向転換板と位置限定板とが同じ方向に曲げて設けられ、上記調整ベースは上記方向転換板と上記位置限定板とによって両上記垂直板の軸孔に枢接され、また上記位置限定板には半円形槽が設けられ、さらに上記半円形槽に複数の上記第二底板の方向に向かって凹設する位置限定凹み部が形成され、また上記半円形槽は上記制御棒の穿設に提供され、さらに上記拡張バネと合わせて上記制御棒は選択的に上記位置限定凹み部内に入れられ、
上記天板は上記調整ベースのパネル端に固定され、上記天板は上記連接ベースと上記調整ベースとが相対的に回転することによって、テーブル面の角度が調整され、また上記伸縮棒が上記垂直棒を押し動かすことによって、上記天板の高さが調整されることを特徴とするテーブルの角度を調整可能な昇降構造。
【請求項２】
上記垂直棒は上記固定部分より離れた一端に同じ軸方向で脚棒が穿設され、また上記伸縮棒の一端は上記脚棒に固定されることにより、上記伸縮棒のもう一端が上記垂直棒を押すようになることを特徴とする請求項１のテーブルの角度を調整可能な昇降構造。
【請求項３】
上記垂直棒は上記脚棒の開口に嵌める部分にカバー体が設けられ、上記カバー体部分には複数の回転タイヤが設けられ、さらに上記回転タイヤが上記脚棒に接触して滑りの助けになることを特徴とする請求項２のテーブルの角度を調整可能な昇降構造。
【請求項４】
上記脚棒の上記垂直棒に差し込まれた一端には少なくとも一つのローラーが設けられ、また上記ローラーが上記垂直棒に接触して滑りの助けになることを特徴とする請求項３のテーブルの角度を調整可能な昇降構造。
【請求項５】
上記垂直棒と上記脚棒とはそれぞれ四角い管状であることを特徴とする請求項４のテーブルの角度を調整可能な昇降構造。
【請求項６】
上記連接ベースは上記第二底板に拡張孔が設けられ、また上記拡張孔によって上記固定部材が真上から第一空間に入れられ、さらに上記固定部材を上記固定部分に締めやすい効果を奏することを特徴とする請求項１のテーブルの角度を調整可能な昇降構造。
【請求項７】
上記調整ベースは、上記方向転換板と上記位置限定板とにおいてそれぞれ貫通孔が設けられ、上記連接ベースの円孔と上記調整ベースの貫通孔においてねじロッドが穿設され、また上記ねじロッドの両端にそれぞれナット体が締められて、さらに上記ねじロッドが上記ナット体と合わせて上記連接ベースと上記調整ベースとの枢接状態が構成されることを特徴とする請求項１のテーブルの角度を調整可能な昇降構造。
【請求項８】
上記天板の一面において底フレームが横向きに締められて、また上記底フレームより上記調整ベースのパネルが締められることにより、上記天板と上記調整ベースとの結合強度が向上されることを特徴とする請求項１のテーブルの角度を調整可能な昇降構造。
【請求項９】
上記調整ベースと上記底フレームはそれぞれ複数の皿穴が凹設され、全ての上記皿穴部分はそれぞれ皿頭ねじによって、上記調整ベースと上記底フレームとが締められ固定されることを特徴とする請求項８のテーブルの角度を調整可能な昇降構造。
【考案の詳細な説明】
【技術分野】
【０００１】
本考案はテーブルの構造に関し、特に組み立てやすく、テーブル面の角度を調整可能及び高さを調整可能である多機能を備えたテーブルの角度調整可能な昇降構造に関する。
【背景技術】
【０００２】
従来はベッドで食事用、読書用、書写用、或いはパソコン用等の場面に用いる多機能な昇降テーブルの構造設計上において、通常は高さの調整ができる伸縮棒ホルダーが設けられ、また簡単に取り外し可能なリングによって調整後の締め付けが形成される。しかし、該締め付け力が該テーブル端の重量に耐えられないため、支持効果が不足するという欠点が存在する。同時に該伸縮棒ホルダーの内外管は直接すり合わせて嵌め合うため、該伸縮操作する時の抵抗力が大きすぎると、必要なテーブルの高さが制御しにくい。さらに、該昇降テーブルは下端の水平足に可動タイヤが設けられ、可動機能を提供するためである。その上端にある水平テーブル面の支持フレームは予定サイズのテーブル面が結合され、これによって多機能の昇降テーブルにおける機能の基本構造が構成される。このような多機能昇降テーブルは構造設計上において、特別にベッドの高さまたは使用者の座り方、体形に合わせて高さ調整機能を備える。もしテーブル面の角度を調整する機能が欲しければ、該テーブル面と該伸縮棒ホルダーの間に構造が複雑な角度調整機構を設けなければいけない。該従来の角度調整機構はすべて多数の回転軸とばねと合わせて使用し、固定と位置決め調整機能になる。その組み合わせ部品が多くまたは組み立て空間が小さいため、組み立てにくいといった欠点があり、同時に該テーブル面の角度調整機構と該テーブル面の高さを調整する簡単に取り外し可能なリングが設けられる位置は違うため、使用者が操作上において不便であり、上述の各欠点はすべて本考案が解決すべき技術問題点である。
【０００３】
従って、本考案者は長年にわたって関連商品の製造開発と設計経験により、上述の目標について、詳しく設計と慎重に評価した結果、実用性に満ちた本考案を得た。
【考案の概要】
【考案が解決しようとする課題】
【０００４】
本考案が解決しようとする課題は、従来技術に存在する上述の欠点について解決し、テーブルの角度を調整可能な昇降構造を提供する。
【課題を解決するための手段】
【０００５】
本考案の第一の目的は、該天板のテーブル面の角度を調整したい時、該制御棒が円孔端を支点としてリブ状孔の上端位置で揺動され、この時該制御棒は位置限定凹み部より離れると、天板は適切な位置に調整されることにある。さらに、該制御棒を緩めた時は該拡張バネによって該位置と対応する位置限定凹み部内に入れることによって、該テーブル面の角度が速やかに調節できる機能を果たす。また該天板の高さを調節したい時、該押さえレバーを操作して該伸縮棒の制御部が下へと押えられることで、該伸縮棒は該垂直棒を連動して連接ベースと同時に上昇でき、或いは押されて高さが下げられることで、テーブル面の高さを調節する目的が達成される。さらに、該伸縮棒によって十分な支持力が形成され、該連接ベースによって該伸縮棒、押さえレバー、制御棒、拡張バネと調整ベースが直接に組み立てられる。これによって組み立てやすく、テーブル面の角度調整とテーブル面の高さ調整などの多機能を兼ね、実用性が向上される。
【０００６】
本考案の第二の目的は、該拡張バネは螺旋状方式で該制御棒を下へ押さえ、さらに該拡張バネの両端によって連接ベースの外側のフック部に引っ掛け、これによって空間が小さすぎて該拡張バネを固定しにくい欠点を克服でき、組み立てやすい利点があることにある。
【０００７】
本考案の第三の目的は、該押さえレバーと該制御棒は該連接ベースと同じ側の隣接位置に設置されることで、使用者が調節を行う際の操作のスムーズ性が向上されることにある。
【０００８】
本考案の第四の目的は、該連接ベースの拡張孔は該固定部材を真上より直接第一空間に入れられ、それに該固定部材を該固定部分に締めて固定しやすい効果を奏することにある。
【０００９】
本考案の第五の目的は、該天板の一面において該底フレームが横向きに締められて、該底フレームより該調整ベースのパネルが締められることにより、該天板と該調整ベースとの結合強度が向上されることにある。
【００１０】
本考案の第六の目的は、該垂直棒は該脚棒の開口に嵌める部分にカバー体が設けられ、該カバー体には複数の回転タイヤが設けられ、さらに該回転タイヤが該脚棒に接触して滑りの助けになることにある。また、該脚棒の該垂直棒に差し込まれた一端には少なくとも一つのローラーが設けられ、また該ローラーが該垂直棒に接触して滑りの助けになることで、該垂直棒と該脚棒の間にある滑り阻止力が低減できる。
【図面の簡単な説明】
【００１１】
【図１】図１は、本考案に係るテーブルの角度を調整可能な昇降構造を示す立体図である。
【図２】図２は、本考案に係るテーブルの角度を調整可能な昇降構造を示す立体分解図である。
【図３】図３は、本考案に係るテーブルの角度を調整可能な昇降構造を示す側面図である。
【図４】図４は、本考案が図３におけるＡ−Ａの断面図である。
【図５】図５は、本考案が図３におけるＢ−Ｂの断面図である。
【図６】図６は、本考案のテーブル面の角度を調整作動することを示す状態図（一）である。
【図７】図７は、本考案のテーブル面の角度を調整作動することを示す状態図（二）である。
【図８】図８は、本考案のテーブル面の高さを調整作動することを示す状態図（一）である。
【図９】図９は、本考案のテーブル面の高さを調整作動することを示す状態図（二）である。
【図１０】図１０は、本考案の図９の局部拡大の断面図である。
【考案を実施するための形態】
【００１２】
まず、図１から図６を参照されたい。本考案のテーブルの角度を調整可能な昇降構造は、脚部１０と、連接ベース２０と、調整ベース３０と、天板４０とを含む。脚部１０には垂直棒１１が立てられ、該垂直棒１１内に伸縮棒１２が設けられ、さらに該伸縮棒１２によって該垂直棒１１を連動して長さの調整が行われる。また該伸縮棒１２の頂部に固定部分１２１と制御部１２２が形成され、また該垂直棒１１は該固定部分１２１より離れた一端に同じ軸方向で脚棒１３が穿設される。また、該伸縮棒１２の一端は該脚棒１３に固定されることにより、該伸縮棒１２のもう一端は該垂直棒１１を押すようになる。連接ベース２０において、第一底板２１と第二底板２２とが平行的に区切られる。該第一底板２１と該第二底板２２との間には、二枚の側板２３を連結することにより第一空間２４は形成される。両該側板２３には対称的に穿孔２３１とフック孔２３２が設けられ、また該連接ベース２０は第二底板２２の該第一底板２１より離れた一面に二枚の垂直板２５が伸び、さらに両該垂直板２５の間に第二空間が形成される。両該垂直板２５の間に対称的に軸孔２５１が設けられ、該垂直板２５の一つは該軸孔２５１と第二底板２２の間に円孔２５２が設けられ、さらにもう一つの垂直板２５は該円孔２５２と相対する所にリブ状孔２５３が設けられる。該第一底板２１に組接孔２１１が設けられ、また該伸縮棒１２の固定部分１２１が該連接ベース２０の組接孔２１１を突き抜き、そして該固定部分１２１に固定部材１２３を締めつけることにより、該連接ベース２０を固定する。その中、該連接ベース２０は該第二底板２２において拡張孔２２１が設けられ、そして該拡張孔２２１によって該固定部材１２３が真上から第一空間２４に入れられ、さらに該固定部材１２３を該固定部分１２１に締めやすい効果を奏する。該連接ベース２０の第一空間２４において押さえレバー２７が設けられ、また該押さえレバー２７は楔２７１によって該穿孔２３１に穿設されて枢接状になることによって、該押さえレバー２７の一端が該伸縮棒１２の制御部１２２を押さえることになる。該円孔２５２と該リブ状孔２５３において制御棒２８が突き抜かれ、また該制御棒２８が該円孔２５２より突き出る部分にＣ型ロック部材２８１が固定される。該制御棒２８は該第二空間２６の位置に拡張バネ２９が螺旋状に設置され、また該拡張バネ２９の両端はそれぞれ該側板２３のフック孔２３２に引っ掛けることで、該制御棒２８が該リブ孔２５３に沿って常態的に第二底板２２の方向に向かって揺動し、調整ベース３０にパネル３１が形成され、また該パネル３１の両側は方向転換板３２と位置限定板３３が同じ方向に曲げて設けられ、該調整ベース３０は該方向転換板３２と該位置限定板３３によって両該垂直板２５の軸孔２５１に枢接される。その中、該調整ベース３０は該方向転換板３２と該位置限定板３３においてそれぞれ貫通孔３２１、３３１が設けられる。該連接ベース２０の円孔２５２と該調整ベース３０の貫通孔３２１、３３１においてねじロッド３４が穿設され、また該ねじロッド３４の両端にそれぞれナット体３５が締められて、さらに該ねじロッド３４が該ナット体３５と合わせて該連接ベース２０と該調整ベース３０の枢接状態が構成される。また該位置限定板３３には半円形槽３３２が設けられ、さらに該半円形槽３３２に複数の該第二底板２２の方向に向かって凹設する位置限定凹み部３３３が形成される。また該半円形槽３３２は該制御棒２８の穿設に提供され、さらに該拡張バネ２９と合わせて該制御棒２８を選択的に該位置限定凹み部３３３内に入れられる。天板４０は該調整ベース３０のパネル３１端に固定され、該天板４０の一面において該底フレーム４１が横向きに締められて、また該底フレーム４１より該調整ベース３０のパネル３１が締められることにより、該天板４０と該調整ベース３０の結合強度が向上される。また該調整ベース３０と該底フレーム４１はそれぞれ複数の皿穴３１１、４１１が凹設され、全ての該皿穴３１１、４１１部分はそれぞれ皿頭ねじ４２によって、該調整ベース３０と該底フレーム４１を締めて固定する。上述の構造により、該天板４０は該連接ベース２０と該調整ベース３０が相対的に回転することによって、テーブル面の角度が調整され、また該伸縮棒１２が該垂直棒１１を押し動かすことによって、該天板４０の高さの調整が形成される。
【００１３】
その構造の組み合わせは引き続き図１から図６を参照されたい。該連接ベース２０は該第一底板２１の組接孔２１１によって該伸縮棒１２の固定部分１２１に嵌められ、さらに該固定部材１２３によって該固定部分１２１に締めつけられる。そして該第一底板２１と該垂直棒１１を溶接することで固定強度が上げられる。また該押さえレバー２７は楔２７１によって該穿孔２３１に穿設することで、該押さえレバー２７は該第一空間２４の一端は該伸縮棒１２の制御部１２２と接触でき、そして該調整ベース３０の貫通孔３２１、３３１が該垂直板２５の軸孔２５１にちょうど合わせられる。該ねじロッド３４によって該貫通孔３２１、３３１と該軸孔２５１を穿設し、また該ねじロッド３４の両端にそれぞれ該ナット体３５を締めつけることで、該調整ベース３０の半円形槽３３２が該連接ベース２０のリブ状孔２５３にぴったり合わせられる。さらに該制御棒２８を順番に半円形槽３３２、リブ状孔２５３と円孔２５２を通し、そして該制御棒２８が円孔２５２を通した一端に該Ｃ形ロック部材２８１が固定される。また該拡張バネ２９を該制御棒２８上方より該第二空間２６に通させることで、該拡張バネ２９の両端はそれぞれ該側板２３のフック孔２３２に引っ掛け、即ち該拡張バネ２９の弾力により制御棒２８を該位置限定凹み部３３３に押さえられる。最も注目すべきなのは、該拡張バネ２９は螺旋状方式によって該制御棒２８を下へ押さえ、さらに該拡張バネ２９の両端は連接ベース２０の外側のフック孔２３２に引っ掛けることによって、組み立て空間が小さすぎて該拡張バネ２９が固定しにくい欠点を克服でき、組み立てやすい利点がある。最後は皿頭ねじ４２によって該底フレーム４１と該パネル３１の皿穴３１１、４１１に締められて、さらに該底フレーム４１を該天板４０に締めて設けると構造の組み合わせが完成される。
【００１４】
実際の使用効果は、継続的に図１から図７を参照されたい。該制御棒２８は該連接ベース２０の円孔２５２とリブ状孔２５３に穿設され、そして該拡張バネ２９の弾力によって下へと押さえられるため、該制御棒２８は常時に該リブ状孔２５３の下端に位置され、また該調整ベース３０の位置限定凹み部３３３内に収納される。これによって該連接ベース２０と調整ベース３０の相対する位置が固定され、該天板４０のテーブル面の角度を調整したい時は、該制御棒２８に力を加えて押し動かすと、該制御棒２８は円孔２５２端を支点にリブ状孔２５３の上端位置に揺動される。この時、該制御棒２８が該位置限定凹み部３３３から離れ、該連接ベース２０と調整ベース３０は該ねじロッド３４位置で相対的に揺れが行われることで、適切な天板４０位置に調節できる。さらに該制御棒２８を緩む時は該拡張バネ２９によって対応する位置限定凹み部３３３内に入れることで、該テーブル面の角度が速やかに調節される機能を果たせる。さらに図８と図９を合わせて参照されたい。該天板４０の高さを調節したい時、該押さえレバー２７を操作して該伸縮棒１２の制御部１２２を下へと押えられることで、該伸縮棒１２は該垂直棒１１を連動して連接ベース２０と同時に上昇できる、或いは押されて高さが下げられる。該伸縮棒１２は油圧棒または気圧棒であり、さらに該押さえレバー２７を緩む時に該制御部１２２によって元の位置に戻されることで、テーブル面の高さを調節する目的を果たせる。さらに該伸縮棒１２によって十分な支え力が形成されることで、該脚部１０が該天板４０に対する支え力が向上される。上述をまとめると、本考案は該連接ベース２０によって直接に該伸縮棒１２、押さえレバー２７、制御棒２８、拡張バネ２９と調整ベース３０が組み立てられるため、組み立てやすく、テーブル面の角度調整とテーブル面の高さ調整などの多機能を兼ね、実用性が向上される。さらに該押さえレバー２７と該制御棒２８は該連接ベース２０と同じ側の隣接位置に設置されることで、使用者が調節を行う際の操作スムーズ性が向上される。
【００１５】
本考案をより詳しく説明するため、引き続き図１０と図１１を参照されたい。該垂直棒１１と該脚棒１３はそれぞれ四角い管状であり、該垂直棒１１は該脚棒１３の開口に嵌める部分にカバー体１１１が設けられる。該カバー体１１１部分には複数の回転タイヤ１１２が設けられ、さらに該回転タイヤ１１２が該脚棒１３に接触して滑りの助けになる。また該脚棒１３は該垂直棒１１の一端には差し込んで少なくとも一つのローラー１３１が設けられ、また該ローラー１３１が該垂直棒１１に接触して滑りの助けになることで、該垂直棒１１と該脚棒１３の間にある滑り阻止力を低減できる。
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１６】
１０              脚部
１１              垂直棒
１１１            カバー体
１１２            回転タイヤ
１２              伸縮棒
１２１            固定部分
１２２            制御部
１２３            固定部材
１３              脚棒
１３１            ローラー
２０              連接ベース
２１              第一底板
２１１            組接孔
２２              第二底板
２２１            拡張孔
２３              側板
２３１            穿孔
２３２            フック孔
２４              第一空間
２５              垂直板
２５１            軸孔
２５２            円孔
２５３            リブ状孔
２６              第二空間
２７              押さえレバー
２７１            楔
２８              制御棒
２８１            Ｃ型ロック部材
２９              拡張バネ
３０              調整ベース
３１              パネル
３１１、４１１    皿穴
３２              方向転換板
３２１、３３１    貫通孔
３３              位置限定板
３３２            半円形槽
３３３            位置限定凹み部
３４              ねじロッド
３５              ナット体
４０              天板
４１              底フレーム
４２              皿頭ねじ
【図１】
0003218107.tif 000003
【図２】
0003218107.tif 000004
【図３】
0003218107.tif 000005
【図４】
0003218107.tif 000006
【図５】
0003218107.tif 000007
【図６】
0003218107.tif 000008
【図７】
0003218107.tif 000009
【図８】
0003218107.tif 000010
【図９】
0003218107.tif 000011
【図１０】
0003218107.tif 000012